(57)【要約】【課題】電話機能、通信機能を備える携帯型端末装置と相互に影響を及ぼし合うことなく、携帯型端末装置に保存されたコンテンツを再生する情報処理装置を提供する。【解決手段】情報処理装置１は、フロントパネル１１３を備える筐体１００、筐体１００内に設けられた回路基板２００、情報処理装置１に携帯型端末装置５００を接続するための端末装置接続機構３００とから構成されている。フロントパネル１１３には開口部１２２が形成されており、開口部１２２を開閉する開閉蓋１２３が設けられている。回路基板２００はチューナ回路２１０を含み、チューナ回路２１０と端末装置接続機構３００とは情報処理装置１の筐体１００内において最も離間する位置に設けられている。端末装置接続機構３００を構成する載置部３１０は開閉蓋１２３の内面に設けられており、開閉蓋１２３が閉じられている場合には開口部１２２内に収納される。【選択図】図５
2012009087.tif 000002
【特許請求の範囲】
【請求項１】
フロントパネルを備える筐体と、
前記フロントパネルに設けられた開口部と、
該開口部を開閉する開閉蓋と、
該開閉蓋に設けられることにより、該開閉蓋が閉じられた状態においては前記開口部内に収納され、前記開閉蓋が開かれた状態においては携帯型端末装置が載置可能となる載置部と、
該載置部に設けられており、前記携帯型端末装置が接続される接続部と、
からなる情報処理装置。
【請求項２】
前記筐体内には回路基板が設けられており、
該回路基板は、放送を受信するチューナ回路を備え、前記接続部は前記チューナ回路から離間する位置に設けられている請求項１に記載の情報処理装置。
【請求項３】
前記開閉蓋および前記載置部は合成樹脂製である請求項１に記載の情報処理装置。
【請求項４】
前記フロントパネルは合成樹脂製である請求項１に記載の情報処理装置。
【請求項５】
前記開閉蓋は前記チューナ回路から離間する方向へ開くよう構成されている請求項２に記載の情報処理装置。
【請求項６】
前記開閉蓋は回転することにより前記開口部を開閉可能に構成されており、前記載置部は、前記開閉蓋が閉じられた状態においては、起立した状態で前記開口部内に収納される請求項１に記載の情報処理装置。
【請求項７】
前記携帯型端末装置は電話機能および／またはネットワーク接続機能を備える請求項１に記載の情報処理装置。
【請求項８】
前記開閉蓋を開かれた状態でロックするロック手段と、該ロック手段によるロックを解除するロック解除手段とをさらに備え、
該ロック解除手段を操作するための操作手段は、前記載置部の上面において、前記接続部の後方に露出するように設けられている請求項１に記載の情報処理装置。
【発明の詳細な説明】
【技術分野】
【０００１】
この発明は、情報処理装置に関し、詳しくは、携帯型端末装置が接続され、その携帯型端末装置に保存されたコンテンツを再生する情報処理装置に関する。
【背景技術】
【０００２】
近年、大容量の記憶媒体を備え、その記憶媒体に音楽データ、動画データなどのコンテンツデータを格納して持ち歩くことができる携帯型端末装置が急速に普及しつつある。この携帯型端末装置は、専ら個人がイヤホン、ヘッドホンなどを用いて移動中や外出先などで音楽などを楽しむことを目的としている。したがって、一般的にスピーカは備えられていない。また、スピーカが備えられていたとしても、出力することができる音量は小さく、また、スピーカはモノラルスピーカである場合が多く、その音質は十分満足のいくものではない。
【０００３】
そこで、ディスク再生装置、スピーカ、高出力アンプ、チューナ回路、携帯型端末装置を接続可能な接続端子などを備え、携帯型端末装置を接続することにより、携帯型端末装置に保存された音楽などを再生することができる情報処理装置、いわゆるドッグステーションが提案されている（特許文献１）。ドックステーションを用いることにより、携帯型端末装置に保存された音楽をスピーカから再生して、高音質な状態で楽しむことができる。また、個人のみが使用できるイヤホンとは異なり、音楽を複数人で楽しむこともできる。
【先行技術文献】
【特許文献】
【０００４】
【特許文献１】特開２０１０−６０９４１号公報
【発明の概要】
【発明が解決しようとする課題】
【０００５】
高出力アンプを搭載するドックステーションをできるだけサイズが小さくものとして実現するためには、現状では高出力アンプとしてデジタルアンプを用いることとなる。しかし、デジタルアンプを用いた場合、不要輻射によって機器全体が悪影響を受けるため、ドックステーション全体を板金などでシールドする必要がある。
【０００６】
そのような、板金で全体がシールドされたドックステーションに電話機能、ネットワーク接続機能を備える携帯型端末装置を接続して、音楽などを再生しようとすると、その板金が逆に携帯型端末装置の電話受信特性に悪影響を及ぼすこととなる。そのため、特許文献１の図１に示すように、ドックステーションは携帯型端末装置を電波特性のよい天面中央に載置するように構成されているものがほとんどである。
【０００７】
このように、ドックステーションにおける携帯型端末装置の接続位置は限定されてしまうため、ドックステーションのデザインの自由度はとても低いものとなっている。また、携帯型端末装置を天面に載置するドックステーションでは、接続端子が常時露出することになるため、長期間使用していると接続端子に細かなゴミが付着してしまう。そのゴミを除去する作業はユーザにとっては煩雑であるし、定期的に除去しなければ故障の原因になる。
【０００８】
また、携帯型端末装置からは随時ネットワーク通信の信号が出ており、その信号がドックステーション内部の回路、特にチューナ回路に悪影響を与えノイズを発生させるという問題もある。そこで、このような諸問題を解決するためには、携帯型端末装置の接続端子をドックステーションの端などの板金、チューナ回路などから離間した位置に配置する必要がある。しかし、単純に携帯型端末装置をドックステーションの端において接続する構成にした場合、ドックステーション全体が不均等な形となり、デザイン性が失われ、その商品性も著しく損なわれることとなる。
【０００９】
したがって、この発明の目的は、電話機能などを有する携帯型端末装置を接続しても相互に悪影響を及ぼさず、高いデザイン性を維持することができる情報処理装置を提供することにある。
【課題を解決するための手段】
【００１０】
上述した課題を解決するために、本願開示の装置は、フロントパネルを備える筐体と、  フロントパネルに設けられた開口部と、開口部を開閉する開閉蓋と、開閉蓋に設けられることにより、開閉蓋が閉じられた状態においては開口部内に収納され、開閉蓋が開かれた状態においては携帯型端末装置が載置可能となる載置部と、載置部に設けられており、携帯型端末装置が接続される接続部とからなる情報処理装置である。
【発明の効果】
【００１１】
本願開示の装置の少なくとも１つの実施形態によれば、電話機能、ネットワーク接続機能などを有する携帯型端末装置を接続しても情報処理装置と携帯型端末装置間で相互に悪影響を及ぼすことを防止できると共に、情報処理装置の高いデザイン性を維持することができる。
【図面の簡単な説明】
【００１２】
【図１】情報処理装置および携帯型端末装置の外観構成を示す外観斜視図である。
【図２】情報処理装置の概略構成を示すブロック図である。
【図３】情報処理装置の開閉蓋が閉じられている状態を示す外観斜視図である。
【図４】情報処理装置の底面を示す底面図である。
【図５】情報処理装置の内部構成を示す斜視図である。
【図６】携帯型端末装置の概略構成を示すブロック図である。
【図７】端末装置接続機構の平面図である。
【図８】端末装置接続機構の構成および動作を示す断面図である。
【図９】端末装置接続機構の構成および動作を示す断面図である。
【図１０】端末装置接続機構の構成および動作を示す断面図である。
【図１１】端末装置接続機構の構成および動作を示す断面図である。
【図１２】情報処理装置の変形例を示す図である。
【発明を実施するための形態】
【００１３】
以下、この発明の実施の形態について図面を参照しながら説明する。なお、説明は以下の順序で行う。
＜１．実施の形態＞
［１−１．情報処理装置の構成］
［１−２．携帯型端末装置の構成］
［１−３．端末装置接続機構の構成］
［１−４．端末装置接続機構の動作］
＜２．変形例＞
【００１４】
＜１．実施の形態＞
［１−１．情報処理装置の構成］
図１は、情報処理装置１としてのドックステーションおよび携帯型端末装置５００としてのスマートフォンの外観構成を示す図である。情報処理装置１には、電話機能、ネットワーク接続機能を備える携帯型端末装置５００が接続される。そして、携帯型端末装置５００に保存されている音楽データは情報処理装置１に転送されて、所定の処理を施された後情報処理装置１からスピーカなどの音声出力手段（図示せず。）に出力される。これにより、ユーザは携帯型端末装置５００に保存されている音楽を高品質な状態で楽しむことができる。
【００１５】
図２は、情報処理装置１の概略構成を示す図である。情報処理装置１は、制御部１１、受信アンテナ１２、チューナ部１３、記憶部１４、ディスク再生部１５、接続部１６、音声処理部１７、アンプ部１８、音声出力端子１９、入力部２０とから構成されている。
【００１６】
制御部１１は、例えばＣＰＵ（Central Processing Unit）、ＲＡＭ（Random Access Memory）およびＲＯＭ（Read Only Memory）から構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって情報処理装置１全体の制御を行う。
【００１７】
チューナ部１３は、選択された受信チャンネルに対応する周波数に受信アンテナ１２が受信している電波を同調させる同調回路、信号の復調処理を行う復調回路、各種フィルタ回路などを含む地上デジタルラジオ放送用のチューナである。チューナ部１３は、受信アンテナ１２によって受信されたデジタルラジオの高周波信号からユーザによって指定されたチャンネル番号のチャンネルの信号を選択する。そして、選択された高周波信号を中間周波信号に変換し、変換された信号の検波、復調処理などを行うことによって音声信号を得て、音声処理部１７などに出力する。
【００１８】
記憶部１４は、不揮発性メモリなどにより構成された大容量記憶媒体である。記憶部１４には音楽データ、画像データ、映像データなどのコンテンツデータなどが保存される。
【００１９】
ディスク再生部１５は、ＣＤ（Compact Disc）、ＤＶＤ（Digital Versatile Disc）などのディスク状記憶媒体（以下、ディスクと称する。）に保存された音楽データなどの読み取り（再生）を行うものである。ディスク再生部１５は、ディスクを載置するディスクトレイ、ディスクを回転させるための回転駆動部、ディスクに対しレーザ光を照射して信号の読み出しを行う光学ピックアップ、光学ピックアップに読み出された信号に対して所定の処理を施して音声処理部１７に出力する信号処理部（いずれも図示せず。）などから構成されている。
【００２０】
接続部１６は、携帯型端末装置５００との接続を行うための接続手段であり、例えば、３０ピンDockコネクタなどの接続端子である。接続部１６を介して携帯型端末装置５００に保存された音楽データなどが情報処理装置１に転送される。
【００２１】
音声処理部１７は、ディスク再生部１５から出力された音楽データ、接続部１６を介して携帯型端末装置５００から転送された音楽データなどに対してデコード処理などの所定の処理を施してアンプ部１８に供給する。アンプ部１８は、供給された音声信号に対して増幅処理を施し、音声出力端子１９に出力するものである。音声出力端子１９には、スピーカ（図示せず。）が接続され、音声処理部１７、アンプ部１８などによって処理が施された音声は最終的にスピーカから出力される。
【００２２】
入力部２０は、情報処理装置１に対してボリューム調整、音楽の再生／停止などの入力を行うための各種ボタン、ダイヤルなどの入力手段である。入力部２０はユーザにより操作入力がなされるとその操作に応じた操作信号を生成して制御部１１へ出力する。
【００２３】
次に、情報処理装置１の外観構成について説明する。図１、図３および図４は、情報処理装置１の外観構成を示す外観斜視図である。図１は開閉蓋１２３が開かれている状態、図３は開閉蓋１２３が閉じられている状態である。
【００２４】
情報処理装置１は、筐体１００、筐体１００内部に収容されている回路基板２００、携帯型端末装置５００を接続するための端末装置接続機構３００とから構成されている。
【００２５】
筐体１００は、シャーシ１１１、天板１１２からなるボックス部１１０およびフロントパネル１１３とから構成されている。シャーシ１１１は、例えば、アルミニウムなどの金属製板状部材を用いて形成されており、底部１１１Ａと、底部１１１Ａの後端から略垂直上方に向けて起立するように構成してある背面部１１１Ｂとを備える。シャーシ１１１上に回路基板２００が載置されている。
【００２６】
天板１１２は、シャーシ１１１と同様に、例えば、アルミニウムなどの金属製板状部材を用いて形成されている。天板１１２は上面部１１２Ａと、上面部１１２Ａの左右両端から略垂直下方に向けて垂設されている側面部１１２Ｂとにより断面略冂字状に形成されている。そして、天板１１２は、シャーシ１１１に対して被せるように設けられ、例えばボルト、ナット（図示せず）などを用いてシャーシ１１１に固定されている。
【００２７】
フロントパネル１１３は、例えば、プラスチックなどの合成樹脂製部材を用いて形成されている。フロントパネル１１３は、情報処理装置１の正面に位置するように、ボルト、ナット（図示せず）などを用いてシャーシ１１１および／または天板１１２に固定されている。
【００２８】
フロントパネル１１３には、ＣＤ、ＤＶＤなどのディスクを載置するためのディスクトレイが挿通可能なようにトレイ挿通口１１４が形成されている。また、フロントパネル１１３には、ユーザが情報処理装置１の操作を行うための各種ボタン、ダイヤルなどが設けられている。ボリュームダイヤル１１５は情報処理装置１によって再生される音楽の音量を調整するためのダイヤルである。操作ボタン１１６は音楽の早送り、巻き戻し、デジタルラジオのチューニングなど各種操作を行うためのボタンである。停止ボタン１１７は、再生されている音楽を停止するためのボタンである。再生ボタン１１８は、音楽の再生を開始するためのボタンである。また、情報処理装置１が備える各種機能を呼び出すためのファンクションボタン１１９、情報処理装置１の電源のオン／オフを切り替えるための電源ボタン１２０が設けられている。さらに、トレイ挿通口１１４の右上にはディスクトレイを出し入れするためのイジェクトボタン１２１が設けられている。
【００２９】
これらの各種ボタンおよびダイヤルは、筐体１００内に設けられた回路基板２００と電気的に接続されている。ユーザにより入力が行われると、その入力に応じた制御信号が生成されて、その制御信号が回路基板２００のメイン回路などに出力される。そして、メイン回路などによりその制御信号に対応する処理が行われることにより、音楽の再生／停止、ボリューム調整などのユーザが所望する動作が行われる。これらボタン、ダイヤルは図２に示すブロック図における入力部２０に相当するものである。
【００３０】
フロントパネル１１３の正面視左端には開口部１２２が形成されている。開口部１２２は、正面視略四角形状に形成されると共に、所定の奥行きを有するように形成されていることにより、端末装置接続機構３００を構成する載置部３１０を収納する収納部として機能するものである。
【００３１】
開閉蓋１２３は、開口部１２２を開閉するための蓋であり、フロントパネル１１３と同様に、例えばプラスチックなどの合成樹脂製部材を用いて略平板状に形成されている。なお、開閉蓋１２３は、閉じられた状態においてはフロントパネル１１３の一部として機能するものであるため、外面にはフロントパネル１１３と同一の色、デザインが付されている。開閉蓋１２３の上端は、ユーザが指などを引っ掛けることができる引掛け部１２３Ａとして機能する。ユーザは引掛け部１２３Ａに指を引っ掛けて開閉蓋１２３を引っ張ることにより開閉蓋１２３を開くことができる。
【００３２】
開閉蓋１２３の内面には端末装置接続機構３００を構成する載置部３１０が設けられている。載置部３１０は携帯型端末装置５００を載置するための台として機能するものである。図３に示すように、載置部３１０は開閉蓋１２３が閉じられている状態においては開口部１２２内に収納されている。そして、図１に示すように、開閉蓋１２３が開かれている状態においては携帯型端末装置５００を載置することが可能となる。
【００３３】
図４は、情報処理装置１の底面を示す底面図である。上述のように筐体１００は金属製のシャーシ１１１および天板１１２からなるボックス部１１０と、合成樹脂製のフロントパネル１１３から構成されている。ただし、シャーシ１１１の底面における端末装置接続機構３００周辺は削られており、端末装置接続機構３００周辺に金属板が存在しないように構成されている。そして、その位置には、フロントパネル１１３と同様の例えばプラスチックなどの合成樹脂を用いて形成されたカバー１２４が設けられている。これにより、シャーシ１１１を形成する金属板が携帯型端末装置５００の電話受信特性に悪影響を及ぼすことを防止することができる。
【００３４】
図５は、情報処理装置１の内部構成を示す図である。回路基板２００は、情報処理装置１全体の電源供給を制御する電源回路、情報処理装置１全体の動作を制御するメイン回路を備える。また、ディスクトレイの進退を制御する搬送制御回路、ディスクを回転させるための回転駆動回路、ディスクに対してレーザ光を照射して信号の読み出すディスク再生処理回路も備える。さらに、チューナ回路２１０、ディスク再生回路やチューナ回路２１０から出力された音声信号に対して出力レベルの調整、周波数特性の調整など所定の処理を施す音声処理回路、音声信号の増幅処理を行うアンプ回路なども備える。それら各種回路は電気的に接続された状態で回路基板２００に搭載されている。
【００３５】
なお、メイン回路は図２に示す情報処理装置１の構成を示すブロック図における制御部１１に相当するものである。また、搬送制御回路、回転駆動回路、ディスク再生処理回路はディスク再生部１５に相当するものである。また、チューナ回路２１０はチューナ部１３に相当するものである。さらに、音声処理回路は音声処理部１７に相当し、アンプ回路はアンプ部１８に相当するものである。
【００３６】
チューナ回路２１０は、受信チャンネルが選択された場合に、選択された受信チャンネルに対応する周波数に受信アンテナ１２が受信している電波を同調させる同調回路、信号の復調処理を行う復調回路、各種フィルタ回路などを含む地上デジタルラジオ放送用のチューナ回路２１０である。チューナ回路２１０は、受信アンテナ１２によって受信されたデジタルラジオの高周波信号からユーザによって指定されたチャンネル番号のチャンネルの信号を選択する。そして、選択された高周波信号を中間周波信号に変換し、変換された信号の検波、復調処理などを行うことによって音声信号を得て、音声処理回路などに出力する。
【００３７】
チューナ回路２１０は、図５からわかるように、情報処理装置１を正面から見てシャーシ１１１上の右側後方に設けられている。そして、載置部３１０などから構成される端末装置接続機構３００は、チューナ回路２１０から最も離間する位置である情報処理装置１を正面から見て左側前方に設けられている。これは、チューナ回路２１０と端末装置接続機構３００に接続される携帯型端末装置５００の位置を離間させるためである。チューナ回路２１０と携帯型端末装置５００とを離間させることにより、ネットワーク通信機能を備える携帯型端末装置５００から発信されるネットワーク通信のための信号がチューナ回路２１０に悪影響を与えてノイズを発生させることを抑制することができる。
【００３８】
［１−２．携帯型端末装置の概略構成］
図６は、携帯型端末装置５００の概略構成を示す図である。携帯型端末装置５００は、バス５０１を介して接続された、制御部５０２、記憶部５０３、音声処理部５０４、通信部５０５、音声出力端子５０６、スピーカ５０７、マイクロホン５０８、表示部５０９、入力部５１０、接続部５１１とから構成されている。携帯型端末装置５００は、記憶部５０３に保存された音楽データなどのコンテンツを再生可能であると共に、電話機能およびインターネット接続機能を備えるスマートフォン、または、携帯電話機である。
【００３９】
制御部５０２は、例えばＣＰＵ、ＲＡＭおよびＲＯＭから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって携帯型端末装置５００全体の制御を行う。
【００４０】
記憶部５０３は、ハードディスク、不揮発性メモリなどにより構成された大容量記憶媒体である。記憶部５０３には複数の音楽データ、画像データ、映像データなどのコンテンツデータが保存される。また、電話番号、メールアドレスなどの各種データも保存される。音楽データのフォーマットとしては、例えば、ＭＰ３（MPEG Audio Layer-3）、ＷＡＶ（RIFF waveform Audio Format）、ＡＩＦＦ（Audio Interchange File Format）などがある。音声処理部５０４は、制御部５０２によって記憶部５０３から読み出される音楽データに対してデコード処理などの所定の処理を施してスピーカ５０７に供給する。
【００４１】
通信部５０５は、例えば３Ｇ方式（第３世代携帯電話方式）、ＷＩ−ＦＩ（Wireless fidelity）などの方式に基づき、最寄りの基地局、インターネットとの間で無線による通信を行うための通信モジュールである。
【００４２】
音声出力端子５０６は、例えば、３．５ｍｍステレオヘッドホンミニジャックなどの音声出力用の端子である。音声出力端子５０６にはヘッドホン、イヤホン（図示せず。）などが接続される。そして、音声処理部５０４にから出力された音声信号は最終的にヘッドホンから音声としてとして出力される。これにより、ユーザはヘッドホンなどを通じて音楽の聴取することが可能になる。
【００４３】
スピーカ５０７は、音声処理部５０４から出力された音声信号を音楽などの音声、通話音声などとして出力するための音声出力手段である。マイクロホン５０８は、ユーザの通話音声を入力するための音声入力手段である。マイクロホン５０８に入力された音声は通話音声信号に変換され、制御部５０２などにより所定の処理を施されて、通信部５０５を介して通話相手の携帯型端末装置に送信される。
【００４４】
表示部５０９は、例えば、ＬＣＤ（Liquid Crystal Display）、有機ＥＬ（Electro luminescence）ディスプレイなどから構成される映像表示手段である。表示部５０９には、携帯型端末装置５００の状態、各種データ、タッチパネルにおけるソフトボタンなどが表示される。
【００４５】
入力部５１０は、例えば、ボタン、ジョグダイヤル、テンキー、タッチパネルなどのユーザが携帯型端末装置５００に対する入力を行う際に用いられる入力手段である。入力部５１０はユーザにより操作入力がなされるとその操作に応じた操作信号を生成して制御部５０２へ出力する。
【００４６】
接続部５１１は、情報処理装置１との接続を行うための接続手段であり、例えば、３０ピンDockコネクタなどの接続端子である。
【００４７】
［１−３．端末装置接続機構の構成］
次に、図７乃至図１１を参照して、端末装置接続機構３００の構成について説明する。端末装置接続機構３００は、開閉蓋１２３の内面に設けられており、携帯型端末装置５００を載置するための台として機能する載置部３１０と、携帯型端末装置５００を接続する接続端子３２０と、載置部３１０を回転可能に支持する支持部３３０と、開閉蓋１２３および載置部３１０を開かれた状態でロックするロック手段としてのロックスライダー３４０と、ロックスライダー３４０によるロックを解除するロック解除手段としてのロック解除操作体３５０と、載置部３１０の回転速度を抑制するためのギヤ機構３６０とから構成されている。
【００４８】
上述した端末装置接続機構３００を構成する各部は例えば、プラスチックなどの合成樹脂製部材を用いて形成されている。そして、フロントパネル１１３、開閉蓋１２３も同様に合成樹脂製部材を用いて形成されている。したがって、携帯型端末装置５００の接続位置の周辺部材は全て合成樹脂製部材を用いて形成されており、金属板は使用されていない。これにより、金属板が携帯型端末装置５００の電話受信特性に悪影響を及ぼすことを抑制することができる。
【００４９】
図７は開閉蓋１２３が開かれている状態における端末装置接続機構３００の平面図である。また、図８乃至図１１は端末装置接続機構３００の構成および動作を示す断面図である。図８は開閉蓋１２３が閉じられており、載置部３１０が収納されている状態である。図９は開閉蓋１２３および載置部３１０が回転している状態である。図１０は開閉蓋１２３が開かれており、開状態でロックされている状態である。図１１は端末装置接続機構３００のロックが解除された状態である。なお、図８は図７におけるＶＩＩＩ−ＶＩＩＩ断面図である。また、図９乃至図１１は図７におけるＩＸ−ＩＸ断面図である。
【００５０】
載置部３１０は、上面３１１を傾斜させることにより縦断面視略台形状に形成されている。載置部３１０には上面３１１前方を窪ませることによりポケット部３１２が形成されている。そして、ポケット部３１２の略中央には携帯型端末装置５００を接続するための接続端子３２０が露出するように設けられている。接続端子３２０は、図２に示す情報処理装置１の構成を示すブロック図における接続部１６に相当するものである。また、特許請求の範囲における接続部に相当するものである。接続端子３２０は接続線（図示せず。）を用いて筐体１００内に設けられた回路基板２００と接続されている。携帯型端末装置５００に保存された音楽データなどは接続端子３２０および接続線を介して回路基板２００上の音声処理回路（音声処理部１７）などに転送される。
【００５１】
また、載置部３１０の上面３１１の後方（ポケット部３１２の後方）略中央にはロック解除操作体３５０の操作用突起３５０Ａが露出するための操作用突起露出口３１３が形成されている。さらに、載置部３１０の内部は空洞状に形成されており、内部底面３１５は後述するロックスライダー３４０が摺動するための摺動面となっている。内部上面３１６は後述するロック解除操作体３５０が摺動する摺動面となっている。
【００５２】
載置部３１０の片側側面には、後述する支持部３３０の板バネ３３４に係合することにより開閉蓋１２３を閉じた状態で支持するための係合片３１４が設けられている。
【００５３】
支持部３３０は、軸３３１を用いて軸支することにより載置部３１０を回動自在に支持するものである。載置部３１０が支持部３３０に支持されて回転することにより、開閉蓋１２３も回転することとなる。支持部３３０は、例えば、ボルトナットなどを用いてフロントパネル１１３に固定されている。支持部３３０の背面には曲面状に形成され、開閉蓋１２３の回転時においてロックスライダー３４０が摺動するスライド曲面３３２が形成されている。また、スライド曲面３３２の上方にはロックスライダー３４０の先端３４０Ａが引っ掛かる掛止用穴３３３が形成されている。さらに支持部３３０には、係合片３１４が引っ掛かることにより、載置部３１０および開閉蓋１２３を閉じた状態で保持するための板バネ３３４が設けられている。
【００５４】
ロック手段としてのロックスライダー３４０は、載置部３１０の内部に設けられており、載置部３１０の内部底面３１５上をスライド可能に構成されている。また、ロックスライダー３４０の先端３４０Ａは載置部３１０の背面に形成されたロックスライダー突出口（図示せず。）から載置部３１０外へ突出するように構成されている。そして、ロックスライダー３４０は、バネ３４１によって常時スライド曲面３３２方向に付勢されている。ロックスライダー３４０の先端３４０Ａが掛止用穴３３３に入り込んで引っ掛かることにより、載置部３１０および開閉蓋１２３が回転することを抑制し、載置部３１０および開閉蓋１２３を開かれた状態でロックする。
【００５５】
ロック解除手段としてのロック解除操作体３５０は、載置部３１０の内部上面３１６にボルトなどによって支持されることによって載置部３１０の内部上面３１６に沿ってスライド可能な状態で設けられている。また、バネ３５１によって、常時スライド曲面３３２方向に付勢されている。そして、ロック解除操作体３５０に設けた突起（図示せず。）がロックスライダー３４０に設けた突起（図示せず。）に係合することにより、ロック解除操作体３５０の動作に連動してロックスライダー３４０はポケット部３１２方向（ロック解除方向）へ牽引されるように構成されている。ロックスライダー３４０はポケット部３１２方向（ロック解除方向）へのみロック解除操作体３５０に連動して動作することとなる。なお、ロックスライダー３４０はロック解除操作体３５０の動作に連動して動作すればよいため、突起を係合させる方法に限られず、接着する、一体物として構成するなどして連動して動作するようにしてもよい。
【００５６】
ロック解除操作体３５０の上面には、突起状の操作用突起３５０Ａが形成されており、その操作用突起３５０Ａは載置部３１０の上面３１１に形成された操作用突起露出口３１３から露出している。操作用突起３５０Ａは特許請求の範囲におけるロック解除手段の操作部に相当するものである。この操作用突起３５０Ａに指をかけてロック解除操作体３５０をスライド曲面３３２方向の逆方向に引くことによって、ロック解除操作体３５０がロックスライダー３４０を牽引する。そして、牽引されたロックスライダー３４０はスライド曲面３３２方向の逆方向にスライドして、ロックスライダー３４０の先端３４０Ａが掛止用穴３３３から抜ける。これにより、載置部３１０および開閉蓋１２３が回転することを抑制していたロックが解除される。
【００５７】
ギヤ機構３６０は、載置部３１０および開閉蓋１２３の回転速度を減速させるための機構である。ギヤ機構３６０は、載置部３１０の片側側面に設けられた第１ギヤ３６１と、支持部３３０に設けられ、第１ギヤ３６１と係合する第２ギヤ３６２とから構成されている。第２ギヤ３６２の歯車軸には、例えばＯリングなどを用いることにより軽微な摩擦負荷を加えられている。載置部３１０が軸３３１を中心に回転すると、第１ギヤ３６１によって載置部３１０の回転が第２ギヤ３６２に伝達されて第２ギヤ３６２が回転する。そして、上述のように第２ギヤ３６２には摩擦負荷が加えられているため、その摩擦負荷により載置部３１０の回転速度は適切な速度に減速される。
【００５８】
第１ギヤ３６１および係合片３１４は一体に構成されている。そして、支持部３３０の側面に形成された連動用穴３３５を通じてボルトによって載置部３１０の側面に取り付けられている。連動用穴３３５は第１ギヤ３６１および係合片３１４が載置部３１０の回転に連動して回転可能なように回転軌道に沿った略円弧状に形成されている。このようにして、第１ギヤ３６１および係合片３１４は載置部３１０の回転に連動して回転するように構成されている。
【００５９】
［１−４．端末装置接続機構の動作］
次に、上述のように構成された端末装置接続機構３００の動作について説明する。まず、開閉蓋１２３が閉じられており、載置部３１０が開口部１２２内に収納されている状態について説明する。図８に示すように、開閉蓋１２３が閉じられている状態においては、載置部３１０の側面に設けられた係合片３１４が支持部３３０に設けられた板バネ３３４に係合している。これにより、開閉蓋１２３が閉じられた状態で維持されており、不用意に開閉蓋１２３が開いてしまうことがない。
【００６０】
そして、ユーザが携帯型端末装置５００を接続するために開閉蓋１２３を開く場合には、引掛け部１２３Ａに指などを引っ掛けてＡ方向に引っ張る。その引っ張る力が板バネ３３４が係合片３１４を押圧している力を超えると、係合片３１４が板バネ３３４からはずれて載置部３１０はＡ方向への回転を始める。
【００６１】
図９に示すように、回転中は、ロックスライダー３４０の先端３４０Ａはバネ３４１によりスライド曲面３３２方向に押圧されながらスライド曲面３３２上を摺動する。そして、開閉蓋１２３が開き切ると、ロックスライダー３４０はバネ３４１によりスライド曲面３３２方向に付勢されているため、図１０に示すようにロックスライダー３４０がスライド曲面３３２方向にスライドして、先端３４０Ａが掛止用穴３３３に挿入される。ロックスライダー３４０はバネ３４１によって常時スライド曲面３３２方向に付勢されているため、ロック解除操作体３５０が操作されない限り、先端３４０Ａが掛止用穴３３３から抜けることはない。これにより、ロックスライダー３４０の先端３４０Ａが掛止用穴３３３に引っ掛かって載置部３１０がＢ方向へ回転すること、載置部３１０が浮き上がることを防止する。すなわち、載置部３１０の位置がロックされる。
【００６２】
開閉蓋１２３が開かれた状態で、ユーザは携帯型端末装置５００を載置部３１０に載置して接続端子３２０に接続することができる。これにより、携帯型端末装置５００に保存された音楽データなどの情報処理装置１への転送可能となり、ユーザは情報処理装置１で携帯型端末装置５００に保存された音楽を楽しむことができる。
【００６３】
ユーザが携帯型端末装置５００を情報処理装置１から外す場合は、携帯型端末装置５００を掴んで上方へ持ち上げるだけでよい。上述したように、ロックスライダー３４０の先端３４０Ａが掛止用穴３３３に引っ掛かって、載置部３１０が浮き上がることを防止している。よって、携帯型端末装置５００を持ち上げてもそれに連動して載置部３１０が浮き上がるということはない。したがって、ユーザは片手で容易に携帯型端末装置５００を取り外すことができる。
【００６４】
そして、携帯型端末装置５００を情報処理装置１から外した後、開閉蓋１２３を閉じる場合はまず、ユーザは指などを載置部３１０の上面３１１に露出した操作用突起３５０Ａに引っ掛けて、ポケット部３１２方向へ引っ張る。そうすると、ロックスライダー３４０はロック解除操作体３５０に連動して動作するように構成されているため、ロックスライダー３４０はポケット部３１２方向へ牽引される。これにより、ロックスライダー３４０の先端３４０Ａが掛止用穴３３３から抜けて、開閉蓋１２３の回転防止のためのロックが解除される。すなわち、開閉蓋１２３および載置部３１０は回転可能な状態となる。
【００６５】
操作用突起３５０Ａはポケット部３１２の後方に露出するように設けられている。よって、操作用突起３５０Ａは、携帯型端末装置５００が接続端子３２０に接続されている状態においては、携帯型端末装置５００の後ろに隠れて触れることができなくなる。これにより、携帯型端末装置５００が接続された状態でロックが解除されて開閉蓋１２３が閉じられようとすることを防ぐことができる。
【００６６】
そして、ロックが解除された状態でユーザが開閉蓋１２３をＢ方向へ回転させることにより開閉蓋１２３を閉じることができる。そして、開閉蓋１２３が略垂直状態になるまで回転させると、図８に示すように係合片３１４が板バネ３３４に引っ掛かって、開閉蓋１２３の閉状態が維持される。
【００６７】
このように、開閉蓋１２３は回転することにより開閉可能に構成されている。そして、図５に示すように、開閉蓋１２３は情報処理装置１の前方に向けて開くように構成されている。すなわち、端末装置接続機構３００の接続端子３２０の位置、すなわち携帯型端末装置５００が接続される位置がチューナ回路２１０からさらに離間することとなる。これにより、携帯型端末装置５００から発信されるネットワーク通信のための信号がチューナ回路２１０に悪影響を与えてノイズを発生させることを抑制することができる。
【００６８】
開閉蓋１２３は回転することにより開閉可能に構成されているため、携帯型端末装置５００を情報処理装置１に接続しない場合には、載置部３１０を収納することができる。これにより、載置部３１０のポケット部３１２にゴミが溜まったり、接続端子３２０にゴミが付着することを防止することができる。また、携帯型端末装置５００を接続しない場合には端末装置接続機構３００の存在を無くして、一体感および統一感のある外観形状をユーザにアピールすることができる。
【００６９】
開閉蓋１２３は回転することにより開閉可能に構成されており、開閉蓋１２３が閉じられている状態においては載置部３１０は縦立した状態で開口部１２２内に収納される。これにより、開閉蓋１２３の軌跡避けを少なくすることができると共に、載置部３１０の収納スペースの奥行きを少なくすることができる。よって、端末装置接続機構３００の筐体１００内における配置を効率よく行うことができる。
【００７０】
なお、ギヤ機構３６０によって、開閉蓋１２３の回転速度は適切な速度に減速されているため、回転が速すぎて開閉蓋１２３が開ききった際に載置部３１０などに衝撃を与えたり、回転が遅すぎてユーザに不快感を与えるということはない。
【００７１】
＜３．変形例＞
以上、この発明の一実施の形態について具体的に説明したが、この発明は、上述の実施形態に限定されるものではなく、この発明の技術的思想に基づく各種の変形が可能である。例えば、チューナ回路２１０と端末装置接続機構３００との位置関係は上述したように右側後方と左側前方に限られるものではない。チューナ回路２１０と端末装置接続機構３００とは筐体１００内において最も離間するように配置されていればよい。したがって、チューナ回路２１０を情報処理装置１を正面から見て筐体１００内の左側後方に配置し、端末装置接続機構３００を情報処理装置１の右側前方に設けるようにしてもよい。すなわち、筐体１００が略直方体形状である場合には、チューナ回路２１０を筐体１００内の４つの角の中のいずれか一つに設け、端末装置接続機構３００はその対角線上の角に設けるとよい。
【００７２】
また、ロック解除操作体３５０の操作用突起３５０Ａが露出する位置は、載置部３１０の上面３１１に限られるものではない。例えば、図１２に示すように載置部３１０の側面に設けるようにしてもよい。
【００７３】
また、実施の形態では、携帯型端末装置５００に保存された音楽データを情報処理装置１に転送して再生する場合を例にして説明を行ったが、コンテンツは音楽に限られるものではない。例えば、情報処理装置１が映像を表示することができる表示部５０９を備え、携帯型端末装置５００に保存された画像、動画などを情報処理装置１で出力するようにしてもよい。
【符号の説明】
【００７４】
１・・・・・情報処理装置
１００・・・筐体
１１３・・・フロントパネル
１２２・・・開口部
１２３・・・開閉蓋
２００・・・回路基板
２１０・・・チューナ回路
３１０・・・載置部
３２０・・・接続端子
３４０・・・ロックスライダー
３５０・・・ロック解除操作体
５００・・・携帯型端末装置
【図１】
2012009087.tif 000003
【図２】
2012009087.tif 000004
【図３】
2012009087.tif 000005
【図４】
2012009087.tif 000006
【図５】
2012009087.tif 000007
【図６】
2012009087.tif 000008
【図７】
2012009087.tif 000009
【図８】
2012009087.tif 000010
【図９】
2012009087.tif 000011
【図１０】
2012009087.tif 000012
【図１１】
2012009087.tif 000013
【図１２】
2012009087.tif 000014